(57)【要約】【課題】水で洗浄後の人体の局部を従来よりも短い時間で乾燥させることができる便器用乾燥装置を提供する。【解決手段】人体８０の局部８１を水にて洗浄後に局部８１を乾燥する便器用の第１乾燥装置２０は、第１エア噴出手段２１と第１移動手段２５を備えている。第１エア噴出手段２１から噴出されたエアにより第１エアカーテン３０が形成される。第１エアカーテン３０が前記水にて洗浄された局部８１の周囲を囲む。第１移動手段２５が第１エアカーテン３０を移動させて第１エアカーテン３０で囲う範囲を狭める。【選択図】図２
2008025341.tif 000002
【特許請求の範囲】
【請求項１】
人体の局部を水にて洗浄後に前記人体の局部を乾燥する便器用乾燥装置であって、
エア噴出手段と移動手段を備え、
前記エア噴出手段から噴出されたエアによりエアカーテンが形成され、
前記エアカーテンが前記水にて洗浄された人体の局部の周囲を囲み、
前記移動手段が前記エアカーテンを移動させて前記エアカーテンで囲う範囲を狭めることを特徴とする便器用乾燥装置。
【請求項２】
請求項１記載の便器用乾燥装置であって、
前記エア噴出手段は第１パイプおよび第２パイプを備え、
前記第１パイプおよび第２パイプの各々には前記エアを噴出する複数の孔が形成され、
前記第１パイプおよび第２パイプの複数の孔から噴出されたエアによりエアカーテンが形成され、
前記移動手段が前記第１パイプおよび第２パイプを移動させることにより前記エアカーテンを移動させて前記エアカーテンで囲う範囲を狭めることを特徴とする便器用乾燥装置。
【請求項３】
請求項１記載の便器用乾燥装置であって、
前記エア噴出手段は複数の弾性を有する第３パイプを備え、
前記複数の第３パイプの各々の上端部にはエアを噴出する孔が形成され、
前記複数の第３パイプの各々の上端部に形成された孔から噴出されたエアによりエアカーテンが形成され、
前記複数の第３パイプの各々の下部の間隔は前記複数の第３パイプの各々の上部の間隔よりも狭くなるように形成され、
前記移動手段はリング状部材および昇降手段を備え、
前記リング状部材は前記複数の第３パイプを束ねるように配置され、
前記昇降手段が前記リング状部材を昇降させ、
前記昇降手段が前記リング状部材を上昇させたときに、前記複数の第３パイプの各々の上部の間隔を狭めるように前記複数の第３パイプの各々を前記弾性により変形させることにより前記エアカーテンを移動させて前記エアカーテンで囲う範囲を狭めることを特徴とする便器用乾燥装置。
【発明の詳細な説明】
【技術分野】
【０００１】
本発明は、人体の局部（例えば肛門）洗浄後の便器用乾燥装置に関し、特に人体の局部の乾燥に要する時間を従来よりも短くすることができる技術に関するものである。
【背景技術】
【０００２】
従来、便器において人体の局部を水（温水を含む。）にて洗浄後に自動的に乾燥する装置が設置されたものがある。この場合、温風を人体の局部に吹き付けて人体の局部を乾燥させている（例えば特許文献１参照）。
【特許文献１】特開２００７−８５１２２号公報
【発明の開示】
【発明が解決しようとする課題】
【０００３】
しかし、上述の従来例では、温風により洗浄後の人体の局部を乾燥しているので、人体の局部を乾燥させるのに時間がかかるという問題があった。
このため、実際には温風による乾燥をしないで、紙により人体の局部を拭くという結果になる場合が多かった。
そこで、本発明が解決しようとする課題は、水で洗浄後の人体の局部を従来よりも短い時間で乾燥させることができる人体の局部洗浄後の便器用乾燥装置を提供することである。
【課題を解決するための手段】
【０００４】
上記課題を解決するため、請求項１記載の発明は、人体の局部（局部および局部の周囲の臀部を含む。）を水（温水を含む。）にて洗浄後に前記人体の局部を乾燥する便器用乾燥装置であって、エア噴出手段と移動手段を備え、前記エア噴出手段から噴出されたエア（圧縮空気）によりエアカーテンが形成され、前記エアカーテンが前記水にて洗浄された人体の局部の周囲を囲み、前記移動手段が前記エアカーテンを移動させて前記エアカーテンで囲う範囲を狭めることを特徴とする便器用乾燥装置である。
【０００５】
請求項１記載の発明により、エア噴出手段から噴出されたエアによりエアカーテンが形成され、前記エアカーテンが前記水にて洗浄された人体の局部の周囲を囲むので、前記人体の局部に付着して残存している水を前記エアカーテンにより吹き飛ばすとともに、前記水の蒸発を促進する。そして、前記移動手段が前記エアカーテンを移動させて前記エアカーテンで囲う範囲を狭めるので、前記人体の局部に付着して残存している水を確実に除去して前記人体の局部を乾燥させることができる。
【０００６】
さらに、請求項２記載の発明は、請求項１記載の便器用乾燥装置であって、前記エア噴出手段は第１パイプおよび第２パイプを備え、前記第１パイプおよび第２パイプの各々には前記エアを噴出する複数の孔が形成され、前記第１パイプおよび第２パイプの複数の孔から噴出されたエアによりエアカーテンが形成され、前記移動手段が前記第１パイプおよび第２パイプを移動させることにより前記エアカーテンを移動させて前記エアカーテンで囲う範囲を狭めることを特徴とする便器用乾燥装置である。
【０００７】
請求項２記載の発明により、前記エア噴出手段の第１パイプおよび第２パイプの各々には前記エアを噴出する複数の孔が形成され、前記第１パイプおよび第２パイプの複数の孔から噴出されたエアによりエアカーテンが形成される。そして、前記移動手段が前記第１パイプおよび第２パイプを移動させることにより前記エアカーテンを移動させて前記エアカーテンで囲う範囲を狭める。
【０００８】
さらに、請求項３記載の発明は、請求項１記載の便器用乾燥装置であって、前記エア噴出手段は複数の弾性を有する第３パイプを備え、前記複数の第３パイプの各々の上端部にはエアを噴出する孔が形成され、前記複数の第３パイプの各々の上端部に形成された孔から噴出されたエアによりエアカーテンが形成され、前記複数の第３パイプの各々の下部の間隔は前記複数の第３パイプの各々の上部の間隔よりも狭くなるように形成され、前記移動手段はリング状部材および昇降手段を備え、前記リング状部材は前記複数の第３パイプを束ねるように配置され、前記昇降手段が前記リング状部材を昇降させ、前記昇降手段が前記リング状部材を上昇させたときに、前記複数の第３パイプの各々の上部の間隔を狭めるように前記複数の第３パイプの各々を前記弾性により変形させることにより前記エアカーテンを移動させて前記エアカーテンで囲う範囲を狭めることを特徴とする便器用乾燥装置である。
【０００９】
請求項３記載の発明により、前記エア噴出手段は複数の弾性を有する第３パイプを備え、前記複数の第３パイプの各々の上端部に形成された孔から噴出されたエアによりエアカーテンが形成される。なお、前記複数の第３パイプの各々の下部の間隔は前記複数の第３パイプの各々の上部の間隔よりも狭くなるように形成されている。そして、前記移動手段のリング状部材は前記複数の第３パイプを束ねるように配置され、前記移動手段の昇降手段が前記リング状部材を昇降させる。前記昇降手段が前記リング状部材を上昇させたときに、前記複数の第３パイプの各々の上部の間隔を狭めるように前記複数の第３パイプの各々を前記弾性により変形させることにより前記エアカーテンを移動させて前記エアカーテンで囲う範囲を狭める。
【発明の効果】
【００１０】
請求項１記載の発明に係る便器用乾燥装置によれば、水で洗浄後の人体の局部を従来よりも短い時間（例えば数秒間）で乾燥させることができる。また、人体の局部を紙で拭く必要がないので、紙を生産するのに必要な電力、石油等の消費を少なくし、炭酸ガスの発生を少なくし、環境保全をし、地球温暖化の防止に役立つことができる。
さらに、請求項２記載の発明によれば、請求項１記載の発明の効果とともに、請求項１記載の発明を容易に構成することができる。
さらに、請求項３記載の発明によっても、請求項１記載の発明の効果とともに、請求項１記載の発明を容易に構成することができる。
【発明を実施するための最良の形態】
【００１１】
以下、本発明における実施の形態を図面に基づいて説明する。
図１は本発明の第１の実施の形態に係わる乾燥装置を備えた便器の平面を示し、図２は図１の便器の正面を一部分切り欠いて示し、図３は図１の乾燥装置の動作を説明し、図４は図３の続きを説明し、図５は図１の乾燥装置の制御系統のブロック図を示している。さらに、図６は本発明の第２の実施の形態に係る乾燥装置を備えた便器の平面を示し、図７は図６の第２の実施の形態に係る便器の正面を一部分切り欠いて示す。
【００１２】
（第１の実施の形態）
図１に示すように、第１便器１０は便器本体１１（図２参照）および便器本体１１の上に設置された便座１２を備えている。そして、図２に示すように、第１便器１０は、人体８０の局部（例えば肛門）８１を水にて洗浄後に局部８１を乾燥する便器用の第１乾燥装置２０を供えている。なお、図１に示す矢印１３は前記洗浄用水の噴出方向を示す。
図２に示すように、第１乾燥装置２０は、第１エア噴出手段２１および第１移動手段２５を備えている。第１エア噴出手段２０から噴出されたエアにより第１エアカーテン３０が形成され、第１エアカーテン３０が前記水にて洗浄された局部８１の周囲を囲む。第１移動手段２５が第１エアカーテン３０を移動させて第１エアカーテン３０で囲う範囲を狭める。
【００１３】
さらに、図１に示すように、第１エア噴出手段２１は第１パイプ２２および第２パイプ２３を備えている。第１パイプ２２には前記エアを噴出する複数の孔２２ａが形成され、第２パイプ２３には前記エアを噴出する複数の孔２３ａが形成されている。なお、配管２２ｂは第１パイプ２２に接続され、エアを第１パイプ２２に供給し、配管２３ｂは第２パイプ２３に接続され、エアを第２パイプ２３に供給する。複数の孔２２ａ、２３ａから上方に噴出されたエアにより第１エアカーテン３０（図２参照）が形成される。
具体的には、図２に示すように、第１エアカーテン３０の先端部３１で局部８１を囲う範囲が第１エアカーテン３０の基部（孔２２ａ（図１参照）から噴出する部位）で囲う範囲より狭くなるように鉛直方向に対し局部８１の中心側に傾斜してエアが噴出される。このため、局部８１に付着した水を局部８１の中央部分近傍に集めることができ、この集まった水分は重力により局部８１から離れて落下する。
図３および図４に示すように、第１移動手段２５（図２参照）が第１パイプ２２および第２パイプ２３を移動させて、第１パイプ２２と第２パイプ２３の間隔Ｌを狭めるることにより、第１エアカーテン３０（図２参照）を移動させて第１エアカーテン３０で囲う範囲を狭める。
【００１４】
そのために、第１移動手段２５が第１パイプ２２と第２パイプ２３の間隔を近づける。具体的には、図２に示すように、第１移動手段２５は第１エアシリンダ２６および第２エアシリンダ２７を備えている。第１エアシリンダ２６が第１パイプ２２を横方向に移動させ、第２エアシリンダ２７が第２パイプ２３を横方向に移動させる。なお、第１エアシリンダ２６のピストンに固定されたロッド２６ａが第１パイプ２２を支え、第２エアシリンダ２７のピストンに固定されたロッド２７ａが第２パイプ２３を支えている。
【００１５】
図５に示すように、第１乾燥装置２０の制御系統は、制御部４０、スイッチ４１、エアコンプレッサ４２、第１バルブ４３、第２バルブ４４および第３バルブ４５を備えている。なお、第１、第２、第３バルブ４３、４４、４５は電磁バルブ等である。
スイッチ４１は第１乾燥装置２０の動作の開始を制御する。具体的には、スイッチ４１をオンにすると、制御部４０の動作が開始する。制御部４０は第１乾燥装置２０のシーケンス制御をするものであり、エアコンプレッサ４２、第１バルブ４３、第２バルブ４４および第３バルブ４５を制御する。エアコンプレッサ４２はエアの供給源であり、第１バルブ４３を経由して第１エア噴出手段２１にエアを供給し、第２バルブ４４または第３バルブ４５を経由して第１移動手段２５にエアを供給する。なお、第２バルブ４４を経由してエアが第１移動手段２５の第１エア入力端２５ａに供給された場合には、第１移動手段２５は第１エアカーテン３０が囲う範囲を狭めるように第１エアシリンダ２６および第２エアシリンダ２７を動作させる。逆に、第３バルブ４５を経由してエアが第１移動手段２５の第２エア入力端２５ｂに供給された場合には、第１移動手段２５は第１エアカーテン３０が囲う範囲を広げるように第１エアシリンダ２６および第２エアシリンダ２７を動作させる。
【００１６】
以上の構成の第１乾燥装置２０は、以下の動作をする。
第１エア噴出手段２１から噴出されたエアにより第１エアカーテン３０が形成され、第１エアカーテン３０の先端部３１が前記水にて洗浄された人体８０の局部８１の周囲を囲むので、局部８１に付着して残存している水を第１エアカーテン３０により吹き飛ばすとともに、前記水の蒸発を促進する。そして、第１移動手段２５が第１エアカーテン３０を移動させて第１エアカーテン３０の先端部３１で局部８１を囲う範囲を狭めるので、局部８１に付着して残存している水を確実に除去して局部８１を乾燥させることができる。
【００１７】
さらに、第１エア噴出手段２１の第１パイプ２２および第２パイプ２３の複数の孔２２ａ、２３ａから噴出されたエアにより第１エアカーテン３０が形成される。そして、第１移動手段２５が第１パイプ２２および第２パイプ２３を移動させることにより第１エアカーテン３０を移動させて第１エアカーテン３０で囲う範囲を狭める。
【００１８】
（第２の実施の形態）
図６に示すように、第２便器５０は便器本体５１（図７参照）および便器本体５１の上に設置された便座５２を備えている。図７に示すように、第２便器５０は、上述の第１の実施の形態に係る第１便器１０（図２参照）の変形例であり、局部８１を水にて洗浄後に局部８１を乾燥する第２乾燥装置６０を備えている。
第２乾燥装置６０は、第２エア噴出手段６１および第２移動手段６５を備えている。
第２エア噴出手段６１は複数の弾性を有する第３パイプ６２を備え、各第３パイプ６２の上端部にはエアを噴出する孔６２ａ（図６参照）が形成されている。なお、配管６２ｄが複数の第３パイプ６２の下端部に接続され、エアを複数の第３パイプ６２に供給する。
各孔６２ａから上方に噴出されたエアにより第２エアカーテン７０を形成している。複数の第３パイプ６２の各々の下部６２ｂの間隔は複数の第３パイプ６２の各々の上部６２ｃの間隔よりも狭くなるように形成されている。
具体的には、図７に示すように、第２エアカーテン７０の先端部７１で局部８１を囲う範囲が第２エアカーテン７０の基部（孔６２ａから噴出する部位）で囲う範囲より狭くなるように鉛直方向に対し局部８１の中心側に傾斜してエアが噴出される。このため、局部８１に付着した水を局部８１の中央部分近傍に集めることができ、この集まった水分は重力により局部８１から離れて落下する。
【００１９】
第２移動手段６５はリング状部材６６および昇降手段６７を備えている。リング状部材６６は複数の第３パイプ６２を束ねるように配置されている。
昇降手段６７がリング状部材６６を昇降させる。昇降手段６７がリング状部材６６を上昇させたときに、複数の第３パイプ６２の各々の上部６２ｃの間隔を狭めるように複数の第３パイプ６２の各々を前記弾性により変形させることにより第２エアカーテン７０を移動させて第２エアカーテン７０の先端部７１で局部８１を囲う範囲を狭める。
具体的には、図６に示すように、昇降手段６７は第３エアシリンダ６８および第４エアシリンダ６９を備えている。第３エアシリンダ６８の一端部が支点６８ｂにて便器本体５１の内面側に回転自在に取り付けられ、第４エアシリンダ６９の一端部が支点６９ｂにて便器本体５１の内面側に回転自在に取り付けられている。さらに、第３エアシリンダ６８の他端部（第３エアシリンダ６８のピストンの先端部）がロッド６８ａを介して支点６８ｃにてリング状部材６６に回転自在に取り付けられ、第４エアシリンダ６９の他端部（第４エアシリンダ６９のピストンの先端部）が支点６９ｃにてリング状部材６６に回転自在に取り付けられている。このため、第３エアシリンダ６８および第４エアシリンダ６９のピストンが押し出されると、リング状部材６６が上昇し、第３エアシリンダ６８および第４エアシリンダ６９のピストンが引き込まれると、リング状部材６６が下降する。
【００２０】
さらに、第３エアシリンダ６８および第４エアシリンダ６９のピストンが押し出されると、リング状部材６６が上昇し、ロッド６８ａ、６９ａの水平面に対する傾斜が大きくなり、第３エアシリンダ６８および第４エアシリンダ６９のピストンが引き込まれると、リング状部材６６が下降し、ロッド６８ａ、６９ａの水平面に対する傾斜が小さくなるので、ロッド６８ａ、６９ａの前記傾斜の変化範囲においては便器本体５１の内面に孔が形成され、前記各孔に防水用のシール材５１ａ、５１ｂが充填されている。
第２の実施の形態のその他の点は上述の第１の実施の形態と同様である。
【００２１】
以上の構成の便器用の第２乾燥装置６０は以下の動作をする。
第２エア噴出手段６１の複数の弾性を第３パイプ６２の各々の上端部に形成された孔６２ａから噴出されたエアにより第２エアカーテン７０が形成される。そして、第２移動手段６５のリング状部材６６は複数の第３パイプ６２を束ねるように配置され、第２移動手段６５の昇降手段６７がリング状部材６６を昇降させる。昇降手段６７がリング状部材６６を上昇させたときに、複数の第３パイプ６２の各々の上部６２ｃの間隔を狭めるように複数の第３パイプ６２の各々を前記弾性により変形させることにより第２エアカーテン７０を移動させて第２エアカーテン７０で囲う範囲を狭める。
【００２２】
なお、上記各実施の形態において、局部８１の乾燥時に、紫外線を局部８１に短時間照射することを併用することもできる。
また、エアの供給源が各便器１０、５０に接続されている場合には、エアコンプレッサ４２を前記エアの供給源で置き換えることができる。
また、第１の実施の形態において、第１エア噴出手段２１を支えるための支持部材を追加してもよい。
また、第２の実施の形態において、第２エア噴出手段６１の姿勢が傾くことを防ぐための支持部材を追加してもよい。
また、各エアシリンダ２６、２７、６８、６９を油圧シリンダで置き換えてもよい。
【図面の簡単な説明】
【００２３】
【図１】本発明の第１の実施の形態に係わる乾燥装置を備えた便器の平面図である。
【図２】図１の便器の一部分を切り欠いて示す正面図である。
【図３】図１の乾燥装置の動作を示す説明図である。
【図４】図３の続きの説明図である。
【図５】図１の乾燥装置の制御系統のブロック図である。
【図６】本発明の第２の実施の形態に係る乾燥装置を備えた便器の平面図である。
【図７】図６の第２の実施の形態に係る便器の一部分を切り欠いて示す正面図である。
【符号の説明】
【００２４】
１０  第１便器
２０  第１乾燥装置
２１  第１エア噴出手段
２２  第１パイプ
２２ａ  孔
２３  第２パイプ
２３ａ  孔
２５  第１移動手段
３０  第１エアカーテン
５０  第２便器
６０  第２乾燥装置
６１  第２エア噴出手段
６２  第３パイプ
６２ａ  孔
６５  第２移動手段
６６  リング状部材
６７  昇降手段
７０  第２エアカーテン
８０  人体
８１  局部
【図１】
2008025341.tif 000003
【図２】
2008025341.tif 000004
【図３】
2008025341.tif 000005
【図４】
2008025341.tif 000006
【図５】
2008025341.tif 000007
【図６】
2008025341.tif 000008
【図７】
2008025341.tif 000009